(57)【要約】【課題】折畳みタイプの通信機能付き携帯情報端末において、音声出力装置をヒンジ部に配置することにより、外形サイズを大きくすることなく折畳んだ状態でも通話が可能に、さらには、音声出力装置を回転することにより、通常の通話とスピーカホン通話とを切り替えることができる携帯情報端末を提供する。【解決手段】少なくとも表示部７、操作部９、電源部、制御部を備え、表示部７側の第１筐体１と操作部９側の第２筐体２とがヒンジ部３により折畳み可能に連結された通信可能な携帯情報端末において、ヒンジ部３に音声出力手段４を設けた。【選択図】        図２
2004357117.tif 000002
【特許請求の範囲】
【請求項１】
少なくとも表示部、操作部、電源部、制御部を備え、前記表示部側の第１筐体と前記操作部側の第２筐体とがヒンジ部により折畳み可能に連結された通信可能な携帯情報端末において、
前記ヒンジ部に音声出力手段を設けたことを特徴とする携帯情報端末。
【請求項２】
請求項１記載の携帯情報端末において、
上記第１筐体及びまたは上記第２筐体に、上記音声出力手段の出力方向とほぼ同じ方向で逆向きの入力方向の音声入力手段を設け、かつ、前記第１筐体と前記第２筐体とを折畳んだ状態においても前記音声入力手段の入力方向が前記音声出力手段の出力方向とほぼ同じ方向で逆向きとなることを特徴とする携帯情報端末。
【請求項３】
請求項２記載の携帯情報端末において、
上記音声入力手段を上記第２筐体のヒンジ部とは反対側の終端部付近に配置し、上記第１筐体には該第１筐体と前記第２筐体とを折畳んだ時に前記音声入力手段と当接する部分に切り欠き部もしくは貫通孔を設けたことを特徴とする携帯情報端末。
【請求項４】
請求項１乃至３のいずれか１項に記載の携帯情報端末において、
上記音声出力手段に通常通話用のレシーバ及びまたはスピーカホン用のスピーカを設けたことを特徴とする携帯情報端末。
【請求項５】
請求項１乃至４のいずれか１項に記載の携帯情報端末において、
上記音声出力手段の音量出力レベルを変更するための音量可変手段と、通話とスピーカホンとを切り替えるための切り替え手段を設け、該切り替え手段によりスピーカホンに切り替えた時は、前記音量可変手段により音量出力レベルを高くすることを特徴とする携帯情報端末。
【請求項６】
請求項１乃至５のいずれか１項に記載の携帯情報端末において、
上記ヒンジ部に対して音声出力手段を回転可能とする機構を設けたことを特徴とする携帯情報端末。
【請求項７】
請求項６に記載の携帯情報端末装置において、
上記音声出力手段のヒンジ部に対する回転を検出する回転検出手段を設け、該回転検出手段が回転を検出すると、上記音量可変手段により音量出力レベルを切り替えることを特徴とする携帯情報端末。
【発明の詳細な説明】
【０００１】
【発明の属する技術分野】
本発明は、折畳み可能な通信機能を有する携帯情報端末に関し、特に折畳んだまま通話が可能な携帯情報端末の小型化に関する。
【０００２】
【従来の技術】
近年、携帯電話はストレートタイプから折畳みタイプが主流になっている。主な理由としては、携帯時は折畳んで小型とし、使用時は開くため表示用の面積も確保できるので、携帯性を損なわずに表示画面を大きくできることにある。画面サイズとしては２〜２．５インチが主流である。
【０００３】
一方、ＰＤＡ（Ｐｅｒｓｏｎａｌ  Ｄｉｇｉｔａｌ  Ａｓｓｉｓｔａｎｔ）などに代表される携帯情報端末は表示画面が携帯電話より大きい３．５インチが主流で、表示画面の下にボタンなどの操作部を配置したストレートタイプと、表示画面側と操作側をヒンジにより連結した折畳みタイプがある。近年、このような携帯情報端末においても、通信機能を付加して携帯電話としても使用できるものが多くなってきている。
【０００４】
通常、携帯電話または携帯情報端末の折畳みタイプのものにおいて通話をする場合は、表示画面側を開いて通話するようになっている。
【０００５】
このような折畳みタイプの携帯電話の従来技術では、レシーバは表示画面側の上部に、マイクは操作側の下部に配置され、表示画面を開いた状態でレシーバとマイクとが同じ面側になるようにし、通話できるようにしている（例えば、特許文献１参照）。しかしながら、上記従来技術では通話する時にはいちいち表示画面側を開く必要があり、使い勝手が悪いという問題があった。また、通話時に表示画面に顔の一部が触って汚れてしまうというような問題もあった。
【０００６】
この問題を解決するための従来技術では、表示画面側を開かずに通話可能にするため、表示画面側の表示画面の両横にマイクとレシーバを設け、開いた時の通話にはマイク及びレシーバの正面側を使い、折畳んだ時の通話には、マイク及びレシーバの背面側を使えるように貫通孔を設けている。（例えば、特許文献２参照）。
【０００７】
さらに、他の従来技術では、操作側にマイクを設け、表示画面側には閉じた時にマイクに当接する部分に貫通穴を設けるとともに内面側と背面側のそれぞれに２つのレシーバを設け、折畳んだ時の通話には背面側のレシーバを使い、開いた時の通話には内面側のレシーバを使えるようになっている。（例えば、特許文献３参照）
【０００８】
【特許文献１】
特開２００１−２９８５１６号公報（第１図）
【特許文献２】
特開２００２−１１１８２５号公報（第２図）
【特許文献３】
特開平１１−１８７０９８号公報
【０００９】
【発明が解決しようとする課題】
前述したように、携帯電話または携帯情報端末では携帯性が重要であり、折畳みタイプの携帯電話または携帯情報端末においても表示画面は少しでも大きくしながら外形の小型化及び薄型化が要求されている。しかしながら、上記従来の技術では小型化、薄型化が求められている携帯情報端末においては、下記のような問題がある。
【００１０】
上記特許文献２に記載の従来技術では、大画面化する液晶の部材とマイク及びレシーバの部材とが表示部側の筐体に水平方向に並列に配置されているため、お互い重なり合わないように配置しなければならず、３者で表示画面側の表面上で占める占有面積が大きくなる。このため、端末の外形を小型化する場合には、表示画面が小さくなり表示画面が見にくくなるという問題があった。ここで、表示画面の大きさを確保すると端末の外形が大きくなるという問題がでる。
【００１１】
さらに、上記特許文献３に記載の従来技術では、表示画面側の背面にレシーバを配置しているため、液晶とレシーバとが重なり合わないように配置しなければならず、厚み方向の距離が大きくなる。このため、端末の厚みが増してしまい、薄型化できないという問題があった。さらに、２つのレシーバが必要であり、部品点数が多くなり、コスト、占有面積、重量アップといった問題もあった。
【００１２】
また、一つのスピーカを通常の電話時のレシーバとしての使用と、スピーカホン時のスピーカとして兼用する場合、切り替えを押しボタンスイッチで行なっている。しかしながら、折畳んだ状態では表示等が見えないのでユーザーにとって、切り替え状態がわかりづらいといった問題があった。このため、着信時スピーカホン状態のままスピーカを耳にあててしまい、スピーカからの大音量で耳に不快な音を出してしまう恐れがあった。
【００１３】
本発明の目的は、折畳みタイプの通信機能付き携帯情報端末において、音声出力装置をヒンジ部に配置することにより、外形サイズを大きくすることなく折畳んだ状態でも通話が可能に、さらには、音声出力装置を回転することにより、通常の通話とスピーカホン通話とを切り替えることができる携帯情報端末を提供することを目的とする。
【００１４】
【課題を解決するための手段】
上記課題を解決するため、本発明は、少なくとも表示部、操作部、電源部、制御部を基本構成とし、前記表示部側の第１筐体と前記操作部側の第２筐体とがヒンジ部により折畳み可能に連結された通信可能な携帯情報端末において、前記ヒンジ部に音声出力手段を設けたことを特徴とする。
【００１５】
これにより、レシーバ等の音声出力手段をヒンジ部に配置するので、液晶画面の部材と音声出力手段の部材とが表示部側の筐体内で重なり合うことがないので、小型化及び薄型化を図りながら表示画面を大きくすることができる。
【００１６】
また、本発明は、前記第１筐体及びまたは前記第２筐体に音声入力手段を設け、前記音声出力手段と前記音声入力手段とを略同一面側（音声出力手段の出力方向と音声入力手段の入力方向がほぼ同じ方向で逆向き）となるように配置し、かつ前記第１筐体と前記第２筐体とを折畳んだ状態においても前記音声入力手段が前記音声出力手段と略同一面側となるように配置したことを特徴とする。
【００１７】
これにより、折畳んだ状態でレシーバ等の音声出力手段とマイク等の音声入力手段が同じ面側にあるので、折畳んだ状態のまま通話が可能となる。特に、大画面表示の携帯情報端末は端末自体の外形が大きくなり、開いた状態で、表示画面側と操作側の両端にレシーバ及びマイクを配置する方法では音声出力、入力の各手段までの距離が大きくなり、通話に不便を生じるという問題があるので、折畳んだまま通話できることは重要である。
【００１８】
そして、本発明は、前記音声入力手段を前記第２筐体の前記ヒンジ部とは反対側の終端部付近に配置し、前記第１筐体には前記第１筐体と前記第２筐体とを折畳んだ時に前記音声入力手段と当接する部分に切り欠き部もしくは貫通孔を設けたことを特徴とする。
【００１９】
これにより、折畳んだままの状態でも音声の通りをよくし、さらに開いた状態での通話が可能となる。
【００２０】
さらに、本発明は、前記音声出力手段に通常通話用のレシーバ及びまたはスピーカホン用のスピーカを設けたことを特徴とする。
【００２１】
これにより、ヒンジ部にレシーバまたはスピーカまたはレシーバとスピーカの双方を配置することが可能になる。
【００２２】
また、本発明は、前記音声出力手段の音量出力レベルを可変するための音量可変手段と、通話とスピーカホンとを切り替えるための切り替え手段を設け、前記切り替え手段によりスピーカホンに切り替えた時は、前記音量可変手段により音量出力レベルを高くすることを特徴とする。
【００２３】
これにより、ヒンジ部にレシーバ・スピーカ兼用素子を配置することにより、部品点数の増加を抑え、省スペースによる小形化が可能になる。
【００２４】
そして、本発明は、前記音声出力手段に回転可能となる機構を設けたことを特徴とする。さらに、前記音声出力手段の回転を検出する回転検出手段を設け、前記回転検出手段を前記切り替え手段として前記音量可変手段を切り替えることを特徴とする。
【００２５】
これにより、回転可能な音声出力手段と、回転検出スイッチを連動させ、スピーカホンのモードと通常通話の電話のモードを切り替えることにより、切り替え状態の認識性を改善できる。
【００２６】
本発明により、折畳みタイプの通信機能付き携帯情報端末において、音声出力装置をヒンジ部に配置することにより、外形サイズを大きくすることなく折畳んだ状態でも通話が可能となる。さらには、音声出力装置を回転することにより、通常の通話とスピーカホン通話とを切り替えることができる。
【００２７】
【発明の実施の形態】
以下、本発明の実施の形態を説明する。
本発明の折畳み可能な携帯情報端末の実施例について、図１〜図６を用いて説明する。図１は、実施例１の折畳み可能な通信機能を有する携帯情報端末の折畳んだ状態の外観略図である。図２は、実施例１の折畳み可能な通信機能を有する携帯情報端末の第１筐体を開いた状態の外観略図である。図３は、実施例１の折畳み可能な通信機能を有する携帯情報端末のヒンジ部内部構造の説明図である。図４は、実施例１の折畳み可能な通信機能を有する携帯情報端末の中心断面図である。図５は、実施例２の回転可能な第３筐体を有する携帯情報端末の第１筐体を開いた状態の外観略図である。図６は、実施例２における回転可能な第３筐体の詳細断面図である。
【００２８】
実施例１を説明する。本発明の第１の実施例の携帯情報端末を図１から図４により説明する。図１と図２は、本実施例による通信機能を有する折畳み可能な携帯情報端末の外観略図を表し、図１は折畳んだ状態、図２は第１筐体１を略９０度に開いた状態の外観略図である。以下、本携帯情報端末の構造及び操作を図１及び図２により説明する。
【００２９】
まず、構造について説明する。表示手段が配置されている表示画面側の第１筐体１と主要な操作ボタン等が配置されている操作側の第２筐体２とをヒンジ３で連結及び開閉可能にし、ヒンジ３の略中央部にある中央ヒンジ３ａに通常通話用のレシーバとスピーカホン用のスピーカを兼用した音声出力装置４を配置し、第２筐体２のヒンジ３とは反対側の終端部略中央部分に音声入力手段であるマイク５を配置している。さらに、第１筐体１には、表示手段である液晶パネル７と入力手段であるタッチパネル８を有していて、その脇にはタッチパネル８を操作するためのスタイラスペン１１が収納されており、ヒンジ３とは反対側の終端部には閉じた時にマイク５を塞がないように切り欠き部１９が設けられている。第２筐体２には、電話の発着信のための発着信ボタン６、キーボードやカーソルボタンなどの操作ボタン９、開閉状態を検知するための開閉検知スイッチ１０、スピーカホン通話にするためのスピーカホンボタン１３を有している。
【００３０】
次に、操作について説明する。図１に示すような折畳んだ状態で電話を着信した場合は、第２筐体２の側面に設けられた発着信ボタン６を押す事により、音声出力手段４及びマイク５を使用して折畳んだまま通話することができる。その際、マイク５を第１筐体１で塞がないよう、マイク５と当接する第１筐体終端部略中央部には切り欠き部１９が設けられているのでマイク５は問題なく使用できる。図２に示すような第１筐体１を開いた状態では主にＰＤＡとしての機能を使用するが、この状態で電話を着信した場合は、発着信ボタン６を押す、または液晶パネル７上に設けられたタッチパネル８中の発着信用アイコンを、スタイラスペン１１を用いて触れる等の操作をし、第１筐体１をさらに開いて音声出力手段４及びマイク５を使用して開いたまま通話が可能になる。このように、音声出力装置４をヒンジ３の略中央部にある中央ヒンジ３ａに配置したことにより第１筐体１の開閉動作に関係なく音声出力装置４は常に本端末の表面にあり、さらに音声出力手段４及びマイク５が同じ表面側にあるため、通話は第１筐体１を開いた状態でも閉じた状態でも可能である。尚、発着信ボタン６は図１の位置ではなく閉じた状態で押せる位置ならば他の位置にあってもよい。
【００３１】
また、スピーカホンボタン１３は、通常の通話状態と、スピーカホン通話への切り替えボタンであり、開いたままの通話の場合このスピーカホン１３を押す事により音声出力装置４から耳を離していても聞こえるスピーカホンに切り替えることができる。これを実現するため、音声出力装置４を駆動するための図示しない駆動回路は出力レベルを可変できるよう構成し、スピーカホンボタン１３の切り替えによりスピーカホン通話となった場合には、出力レベルを高くする制御をしている。ここで、第１筐体１の開閉状態は開閉検知スイッチ１０によって検知され折畳んだ状態では通常の通話状態に設定されており、また第１筐体１を閉じた状態ではスピーカホンボタン１３を押せない構造のため、スピーカホン通話に設定したままなのを忘れて、音声出力装置４から大音量が出力され耳に不快な音を与えることは回避でき、安全性を高めている。
【００３２】
次に、ヒンジ３の詳細な構造を図３により説明する。ヒンジ３の略中央部にある中央ヒンジ３ａに設けられた音声出力装置４は、ヒンジバネ１２と液晶パネル７やタッチパネル８などの電源や各種信号等を供給するフレキシブルケーブル１５との空いたスペースに配置されている。
【００３３】
次に、中央ヒンジ３ａの詳細な構造を図４により説明する。図４（ａ）中に示したａ−ａ断面図を図４（ｂ）に示す。この図４（ｂ）に示すように液晶パネル７、バッテリ１７や制御基板１８と重なり合わない空きスペースであるデッドスペースに音声出力手段４を配置しているため、ヒンジを用いた携帯情報端末のデットスペースを有効に使うことにより本端末の外形を必要最小限にすることができる。さらに、液晶パネル７の画面が大画面となった場合でも折畳んだ状態で通話ができるので音声出力手段４とマイク５の距離を電話機として適性に使用できる大きさに保つことができる。このため、開いた状態でしか通話できない場合の音声出力手段とマイクまでの距離が大きくなり、通話に不便を生じるという問題は回避できる。尚、ヒンジバネ１２やフレキシブルケーブル１５の種類や取付け方向や取付け方法などはこれに限定することなく他の仕様でもよい。
【００３４】
実施例２を説明する。上述した実施例１の音声出力装置４を回転可能に設け、第１筐体１を閉じた状態でもスピーカホンを使用可能にした第２の実施例を図５及び図６により説明する。
【００３５】
図５は、実施例１の携帯情報端末のヒンジ３の略中央部にある中央ヒンジ３ａに通常通話用のレシーバとスピーカホン用のスピーカを兼用した音声出力装置４を収納した回転可能な第３の筐体１４を配置したものである。図６（ａ）は、図５の携帯情報端末を閉じた状態での外形図であり、その中央ヒンジ３ａ部のｂ−ｂ断面図が図６（ｂ）であり、音声出力装置４の位置が正面を向いている通常時にセットした状態と、９０度回転時の状態を示している。
【００３６】
構造及び動作について説明する。この図６（ｂ）の９０度回転時に示すように音声出力装置４を９０度回転させることで制御基板１８上に実装された回転検出スイッチ１６が第３筐体１４のフランジにより押されＯＮ状態になる。このＯＮ状態になったことを検出し、音声出力装置４駆動用の図示しない駆動回路の出力レベルを高くしてスピーカホン機能を使用可能としている。このような構成とし、第３の筐体１４を回転させる動作により、通常の通話状態とスピーカホンの切替えを一義的な動作、視覚的に容易な認識とすることで、誤動作によりスピーカホンのまま通常通話の時の使用方法として音声出力装置４を耳にあて、大音量が出力され耳に不快な音を与えることを回避できる。尚、この回転角度は本実施例では９０度にしたが、９０度に限らず例えば１８０度などでもよい。
【００３７】
以上、本発明を実施例に基づき説明したが、本発明は前記実施例に限定されるものではなく、その要旨を逸脱しない範囲で変更可能であることはいうまでもない。
【００３８】
本願によって開示される発明のうち、代表的なものによって得られる効果を簡単に説明すれば、以下のとおりである。折畳みタイプの通信機能付き携帯情報端末において、音声出力装置をヒンジ部の空きスペースに配置することにより、端末の外形サイズを大きくすることなく、折畳んだ状態でも通信機能を使用することが実現できる。なお、カメラ付き携帯情報端末に適用することは可能であり、カメラの撮像方向と、音声入力装置の入力方向及び音声出力装置の出力方向とを、ほぼ平行で向きを逆向き又は同じ向きとすることができる。そして、折畳んだ状態でも、同様に、ほぼ平行で向きを逆向き又は同じ向きとするのが好ましい。これにより、例えばテレビ電話（表示画面と同じ向きの音声出力装置が必要で、折畳んだ時に使用する背面液晶画面を有するのが好ましい。）として使用する際、利用勝手をよくすることができる。
【００３９】
【発明の効果】
本発明によれば、折畳みタイプの通信機能付き携帯情報端末において、音声出力装置をヒンジ部に配置することにより、外形サイズを大きくすることなく折畳んだ状態でも通話が可能に、さらには、音声出力装置を回転することにより、通常の通話とスピーカホン通話とを切り替えることができる携帯情報端末を得ることができる。
【図面の簡単な説明】
【図１】実施例１の折畳み可能な通信機能を有する携帯情報端末の折畳んだ状態の外観略図。
【図２】実施例１の折畳み可能な通信機能を有する携帯情報端末の第１筐体を開いた状態の外観略図。
【図３】実施例１の折畳み可能な通信機能を有する携帯情報端末のヒンジ部内部構造の説明図。
【図４】実施例１の折畳み可能な通信機能を有する携帯情報端末の中心断面図。
【図５】実施例２の回転可能な第３筐体を有する携帯情報端末の第１筐体を開いた状態の外観略図。
【図６】実施例２における回転可能な第３筐体の詳細断面図。
【符号の説明】
１  表示画面側の第１筐体
２  操作側の第２筐体
３  ヒンジ
３ａ  中央ヒンジ
４  音声出力装置
５  マイク
６  発着信ボタン
７  液晶パネル
８  タッチパネル
９  操作ボタン
１０  開閉検知スイッチ
１１  スタイラスペン
１２  ヒンジバネ
１３  スピーカホンボタン
１４  回転可能な第３筐体
１５  フレキシブルケーブル
１６  回転検出スイッチ
１７  バッテリ
１８  制御基板
１９  切り欠き部
【図１】
2004357117.tif 000003
【図２】
2004357117.tif 000004
【図３】
2004357117.tif 000005
【図４】
2004357117.tif 000006
【図５】
2004357117.tif 000007
【図６】
2004357117.tif 000008